(57)【特許請求の範囲】
【請求項１】
冷蔵ショーケースの外面に開口した窓穴（２１）を開閉するカバー（２２）が、カバー（２２）の上部に設けた水平な揺動軸（２３）で揺動開閉自在に支持されており、
窓穴（２１）の開口縁部にストッパー片（３６）が設けられ、該ストッパー片（３６）で受け止められる当接片（３０）がカバー（２２）の端部に設けられており、
カバー（２２）を閉じた状態における揺動軸（２３）の中心軸（Ｌ）が、カバー（２２）の重心（Ｇ）に対して窓穴（２１）の内外方向へ偏寄した位置に配置されており、
カバー（２２）の上端部に当接片（３０）が配置され、当接片（３０）の下方に揺動軸（２３）が配置されており、
閉じ位置におけるカバー（２２）の当接片（３０）が、カバー（２２）をその自重により開放位置から閉じ位置へ揺動させる揺動軸（２３）のまわりの閉じモーメントによってストッパー片（３６）に押し付けられていることを特徴とする冷蔵ショーケースのカバー構造。
【請求項２】
揺動軸（２３）の中心軸（Ｌ）から当接片（３０）とストッパー片（３６）との当接部（Ｔ）までの距離（Ｄ１）が、揺動軸（２３）の中心軸（Ｌ）からカバー（２２）の重心（Ｇ）までの距離（Ｄ２）よりも小さく設定されている請求項１に記載の冷蔵ショーケースのカバー構造。
【請求項３】
カバー（２２）が外開き式であり、
窓穴（２１）の開口縁部に、カバー（２２）の内向き揺動を規制する規制片（３７）が設けられており、
規制片（３７）は、閉じ位置におけるカバー（２２）の下部の内方に位置して、該下部と僅かな隙間を介して対向している請求項１または２に記載の冷蔵ショーケースのカバー構造。
【請求項４】
カバー（２２）が、窓穴（２１）を塞ぐ正面パネル（２６）と、正面パネル（２６）の上辺から窓穴（２１）の内方へ伸びる上片（２９）と、上片（２９）の内端から上方へ伸びる当接片（３０）とを備えており、
窓穴（２１）の開口縁部にストッパー片（３６）が内向きに折り曲げられており、
カバー（２２）を閉じた状態において、当接片（３０）の外面がストッパー片（３６）の内端で受け止められている請求項１から３のいずれかひとつに記載の冷蔵ショーケースのカバー構造。  
【発明の詳細な説明】
【技術分野】
【０００１】
本発明は、冷蔵ショーケースの外面に開口された操作窓や覗き窓などの窓穴を開閉するカバー構造に関する。
【背景技術】
【０００２】
特許文献１に記載のショーケースは、冷却室の下側に設けられた機械室に、圧縮機等からなる冷凍機が収容された冷凍・冷蔵ショーケースである。機械室の前面を覆う化粧板には、電源スイッチ等の操作部に通じる操作窓が形成され、この操作窓の内面に窓枠が嵌合されている。窓枠は、操作窓を開閉自在に閉塞する板状のカバーを支持する。カバーの上部両側にはそれぞれ支持杆が設けられており、窓枠の両側面には支持杆を摺動案内する案内溝がそれぞれ設けられている。カバーの前面下部の掛止部に指を掛け、カバーを手前に持ち上げると、支持杆を支点にしてカバーを手前側に回動させて、操作窓を開放することができる。また、手前側に回動させたカバーを、案内溝に沿って機械室の内方へ移動させると、案内溝の下側の内方突出部でカバーを支持して、操作窓を解放状態に保持することができる。
【先行技術文献】
【特許文献】
【０００３】
【特許文献１】実願昭６３−９２１８６号（実開平２−１３９８３号）のマイクロフィルム（第３図、第４図）
【発明の概要】
【発明が解決しようとする課題】
【０００４】
特許文献１のショーケースの冷却室を冷却する際には、機械室に収容された冷凍機（圧縮機等）が駆動し、これに伴って振動が発生する。この振動は各方向に伝播し、操作窓を閉塞する板状のカバーにも伝播する。これによりカバーが振動し、カバーとこれを支持する窓枠との接触部分において、びびり音が発生することがある。とくに、カバーが鋼板で形成してある場合には、不快なびびり音が発生しやすい。カバーと窓枠の接触部分にゴム等の緩衝体を設けて、びびり音を抑えることは可能であるが、緩衝体を設ける分だけコストが嵩む不利がある。
【０００５】
本発明の目的は、緩衝体を設けることに伴うコスト増を招くことなく、窓穴を開閉自在に閉塞するカバーを振動し難くして、カバーの振動に伴うびびり音の発生を抑えた冷蔵ショーケースのカバー構造を提供することにある。
【課題を解決するための手段】
【０００６】
本発明は、冷蔵ショーケースの外面に開口した窓穴２１を開閉するカバー２２が、カバー２２の上部に設けた水平な揺動軸２３で揺動開閉自在に支持されるカバー構造を対象とする。窓穴２１の開口縁部にストッパー片３６を設け、ストッパー片３６で受け止められる当接片３０をカバー２２の端部に設ける。カバー２２を閉じた状態における揺動軸２３の中心軸Ｌを、カバー２２の重心Ｇに対して窓穴２１の内外方向へ偏寄した位置に配置する。カバー２２の上端部に当接片３０を配置し、当接片３０の下方に揺動軸２３を配置する。閉じ位置におけるカバー２２の当接片３０を、カバー２２をその自重により開放位置から閉じ位置へ揺動させる揺動軸２３のまわりの閉じモーメントによってストッパー片３６に押し付けることを特徴とする。
【０００８】
揺動軸２３の中心軸Ｌから当接片３０とストッパー片３６との当接部Ｔまでの距離Ｄ１を、揺動軸２３の中心軸Ｌからカバー２２の重心Ｇまでの距離Ｄ２よりも小さく設定することができる。
【０００９】
カバー２２が外開き式であり、窓穴２１の開口縁部に、カバー２２の内向き揺動を規制する規制片３７が設けられており、規制片３７は、閉じ位置におけるカバー２２の下部の内方に位置して、該下部と僅かな隙間を介して対向している形態を採ることができる。
【００１０】
カバー２２が、窓穴２１を塞ぐ正面パネル２６と、正面パネル２６の上辺から窓穴２１の内方へ伸びる上片２９と、上片２９の内端から上方へ伸びる当接片３０とを備えており、窓穴２１の開口縁部にストッパー片３６が内向きに折り曲げられており、カバー２２を閉じた状態において、当接片３０の外面がストッパー片３６の内端で受け止められている形態を採ることができる。
【発明の効果】
【００１１】
本発明に係る冷蔵ショーケースのカバー構造においては、カバー２２を閉じた状態における揺動軸２３の中心軸Ｌを、カバー２２の重心Ｇに対して窓穴２１の内外方向へ偏寄した位置に配置することにより、閉じ位置におけるカバー２２の当接片３０が、カバー２２の自重による閉じモーメントでストッパー片３６に押し付けられるようにした。これによれば、冷蔵ショーケースに収容された冷凍機の駆動などに伴う振動が、閉じ位置におけるカバー２２に伝播しても、カバー２２が振動し難くなる。従って、カバー２２の振動に伴うびびり音の発生を抑えることができる。さらに本発明によれば、閉じモーメントで当接片３０をストッパー片３６に押し付けて、カバー２２の振動を抑止するので、ゴム等の緩衝体を設けることに伴うコスト増を招くことなく、びびり音の発生を抑えることができる。
【００１２】
カバー２２の上端部に当接片３０を配置すると、これをカバー２２の下端部に配置する場合に比べて、揺動軸２３の中心軸Ｌから当接片３０までの距離を短くして、当接片３０をストッパー片３６に対して強く押し付けることができる。従って、閉じ位置におけるカバー２２をより振動し難くして、カバー２２の振動に伴うびびり音の発生をより効果的に抑えることができる。
【００１３】
揺動軸２３の中心軸Ｌから当接片３０とストッパー片３６との当接部Ｔまでの距離Ｄ１を、揺動軸２３の中心軸Ｌからカバー２２の重心Ｇまでの距離Ｄ２よりも小さく設定すると、距離Ｄ１が距離Ｄ２よりも大きい場合に比べて、当接片３０をストッパー片３６に対して強く押し付けることができる。従って、閉じ位置におけるカバー２２をより振動し難くして、カバー２２の振動に伴うびびり音の発生をより効果的に抑えることができる。
【００１４】
カバー２２が外開き式である場合、ユーザはカバー２２の上端部を内方へ押し込むことで、カバー２２を揺動させて窓穴２１を開放することができる。一方、ユーザが誤ってカバー２２の下部を押し込んだ場合には、当接片３０がストッパー片３６に強く押し付けられて塑性変形するおそれがある。そこで本発明では、窓穴２１の開口縁部に、カバー２２の内向き揺動を規制する規制片３７を設けた。規制片３７は、閉じ位置におけるカバー２２の下部の内方に位置して、該下部と僅かな隙間を介して対向する。この規制片３７によれば、カバー２２の下部が誤って押し込まれても、当接片３０が僅かに変形した時点で、規制片３７がカバー２２の下部を受け止めるので、当接片３０がストッパー片３６に強く押し付けられること、すなわち当接片３０が塑性変形することを確実に防止することができる。
【００１５】
カバー２２の正面パネル２６の上辺から窓穴２１の内方へ上片２９を形成し、上片２９の内端から上方へ当接片３０を形成する。窓穴２１の開口縁部にストッパー片３６を内向きに折り曲げ、当接片３０の外面をストッパー片３６の内端で受け止める。以上の構成によれば、カバー２２を閉じた状態において、当接片３０およびストッパー片３６を窓穴２１の内側に収容することができるので、当接片３０やストッパー片３６に物や衣服が引っ掛かる不都合を確実に防止することができる。
【図面の簡単な説明】
【００１６】
【図１】本発明を適用した冷蔵ショーケースのカバー構造の縦断側面図である。
【図２】冷蔵ショーケースの正面図である。
【図３】冷蔵ショーケースの縦断側面図である。
【図４】図１におけるＡ−Ａ線断面図である。
【図５】カバーの開閉動作を説明するための図である。
【発明を実施するための形態】
【００１７】
（実施例）  図１ないし図５は、本発明に係るカバー構造を適用した冷蔵ショーケースの実施例を示す。本実施例における前後、左右、上下とは、図２および図３に示す矢印と、各矢印の近傍に表記した前後、左右、上下の表示に従う。両図に示すように冷蔵ショーケースは、冷蔵室１を備える断熱箱体２と、冷蔵室１の前面開口を開閉自在に閉塞する一対のスライド式の扉３と、断熱箱体２の下側に配置されたハウジング４などで構成される。ハウジング４は、断熱箱体２と前後寸法および左右寸法が等しい箱体からなり、その内部に機械室５が形成されている。機械室５の前面開口には通気自在な機械室パネル６が着脱可能に装着されている。
【００１８】
冷蔵室１の内部には複数段の棚板９が設置されており、冷蔵室１の上部には、冷蔵室１内の空気を冷却する蒸発器１０と、蒸発器１０により冷却された空気を冷蔵室１内で循環させる庫内ファン１１とが設置されている。蒸発器１０と共に冷凍機を構成する圧縮機１２および凝縮器１３は機械室５に収容されている。また機械室５には、凝縮器１３に熱交換風を送給する送風ファン１４や、制御基板などの電装品を内蔵する電装箱１５などの機器が収容されている。電装箱１５は機械室５の前端部に配置されており、電装箱１５の前面には漏電遮断器１６が配置されている。扉３の表面で生じた結露水や、蒸発器１０の除霜時に生じた除霜水などは、機械室５の下面に設けたドレンパン１７に排水される。
【００１９】
図１および図４に示すように、機械室パネル６には漏電遮断器１６に臨む窓穴２１が開口されており、窓穴２１の内側には窓穴２１を開閉自在に閉塞する外開き式のカバー２２が配置されている。カバー２２は、その上部に設けた左右一対の水平な揺動軸２３で揺動開閉自在に支持されている。図５に想像線で示すように、カバー２２を前方（外方）へ揺動させて窓穴２１を開放すると、機械室パネル６の前方から漏電遮断器１６を操作することができる。カバー２２には、その自重によりカバー２２を開放位置から閉じ位置へ揺動させる揺動軸２３のまわりの閉じモーメントが作用しており、常態においては図１に示すように窓穴２１を閉塞する。機械室パネル６およびカバー２２は鋼板で形成されている。
【００２０】
具体的には、カバー２２は、窓穴２１を塞ぐ矩形板状の正面パネル２６と、正面パネル２６の左右辺に連続する左右一対の側片２７と、正面パネル２６の下辺に連続する下片２８と、正面パネル２６の上辺に連続する上片２９と、上片２９の後端に連続する当接片３０とで構成される。側片２７、下片２８および上片２９は、機械室５の内方すなわち後方へ折り曲げ形成されて、正面パネル２６と直交している。当接片３０は上方へ折り曲げ形成されて、上片２９と直交している。閉じ位置におけるカバー２２は、その全体が窓穴２１の内側に収容されており、正面パネル２６と機械室パネル６の前面どうしが面一状になっている。図１において符号Ｇは、カバー２２の重心を示す。閉じ位置におけるカバー２２の重心Ｇは、正面パネル２６のやや後方であって、側片２７の前後中心よりも前方に位置している。
【００２１】
窓穴２１は、正面視においてカバー２２の正面パネル２６よりも僅かに大きい矩形状に形成される。窓穴２１の開口縁部には、窓穴２１の左右縁に連続する左右一対の支持壁３５と、窓穴２１の上縁に連続するストッパー片３６と、窓穴２１の下縁の中央部に連続する規制片３７とが設けられている。支持壁３５およびストッパー片３６は内向きに折り曲げ形成されて、窓穴２１の開口面と直交している。規制片３７は、窓穴２１の下縁から後方へ伸びる水平片３８と、水平片３８の後端から上方へ伸びる垂直片３９とで構成される。図１に拡大して示すように、規制片３７の垂直片３９は、閉じ位置におけるカバー２２の下片２８の後方（内方）に位置して、下片２８と僅かな隙間を介して前後に対向している。
【００２２】
図４において各支持壁３５は、閉じ位置におけるカバー２２の側片２７に正対しており、ボルトからなる揺動軸２３を支持する支持孔４３を備えている。側片２７にも支持孔４３と同径の軸受孔４４が形成されている。揺動軸２３は、支持壁３５の外面で受け止められる頭部２３ａと、支持孔４３および軸受孔４４に挿通される軸部２３ｂと、側片２７の内面側においてナット４５がねじ込まれる雄ねじ部２３ｃとで構成される。側片２７と支持壁３５の間には、軸部２３ｂに挿通されるリング状のスペーサ４６が配置されている。
【００２３】
図１に示すカバー２２を閉じた状態において、揺動軸２３の軸部２３ｂの中心軸Ｌは、カバー２２の重心Ｇに対して後方（窓穴２１の内方）へ偏寄した位置に配置されている。この重心Ｇと中心軸Ｌの位置関係によれば、閉じ位置で静止するカバー２２には、中心軸Ｌを中心とした図１における反時計回りの閉じモーメントが作用する。具体的には、カバー２２における中心軸Ｌの上側の部分には、前方へ傾動するモーメントが作用し、カバー２２における中心軸Ｌの下側の部分には、後方へ傾動するモーメントが作用する。この閉じモーメントによって、カバー２２の当接片３０の前面（外面）がストッパー片３６の後端（内端）に押し付けられた状態で、カバー２２が閉じ位置で静止している。
【００２４】
上記のように、閉じ位置におけるカバー２２の当接片３０がストッパー片３６に押し付けられていると、機械室５内の圧縮機１２や送風ファン１４の駆動に伴う振動がカバー２２に伝播しても、カバー２２が振動し難くなるので、カバー２２の振動に伴うびびり音の発生を抑えることができる。本実施例のように機械室パネル６とカバー２２が鋼板で形成され、両者６・２２の接触部において不快なびびり音が発生しやすい場合であっても、ゴム等の緩衝体を設けることなく、びびり音の発生を抑えることができる。
【００２５】
また本実施例では、カバー２２の上端部に当接片３０を配置したので、これをカバー２２の下端部に配置する場合に比べて、揺動軸２３の中心軸Ｌから当接片３０までの距離を短くして、当接片３０をストッパー片３６に対して強く押し付けることができる。従って、閉じ位置におけるカバー２２をより振動し難くして、カバー２２の振動に伴うびびり音の発生をより効果的に抑えることができる。
【００２６】
図１において符号Ｔは、閉じ位置におけるカバー２２の当接片３０とストッパー片３６との当接部を示す。揺動軸２３の中心軸Ｌから当接部Ｔまでの距離Ｄ１は、中心軸Ｌからカバー２２の重心Ｇまでの距離Ｄ２よりも小さく設定されている（Ｄ１＜Ｄ２）。このように、当接部Ｔを重心Ｇよりも中心軸Ｌの近くに配置すると、当接部Ｔを遠くに配置する場合に比べて、当接片３０をストッパー片３６に対して強く押し付けることができる。従って、閉じ位置におけるカバー２２をより振動し難くして、カバー２２の振動に伴うびびり音の発生をより効果的に抑えることができる。
【００２７】
閉じ位置におけるカバー２２は、図５に矢印で示すように正面パネル２６の上端部（揺動軸２３の中心軸Ｌの上側）を後方へ押し込むと、揺動軸２３のまわりに揺動させて開き操作できる。一方、誤って正面パネル２６の下部（揺動軸２３の中心軸Ｌの下側）を押し込んだ場合には、カバー２２が中心軸Ｌを中心とした図１における反時計回りに僅かに揺動した時点で、下片２８が規制片３７の垂直片３９に受け止められて、それ以上の揺動が規制される。下片２８が規制片３７に受け止められる時点で、当接片３０が上片２９に対して僅かに弾性変形するが、塑性変形することはなく、カバー２２の押し込みを中止すると、当接片３０は速やかに弾性変形前の状態に復帰する。このように、カバー２２の内向き揺動を規制する規制片３７を設けると、当接片３０が塑性変形することを確実に防止することができる。なお規制片３７は、窓穴２１の左右縁に設けることもできる。
【００２８】
上記の実施例で示したカバー構造は、カバー２２を前方すなわち機械室５の外方へ揺動させて窓穴２１を開放する外開き式であったが、本発明は内開き式のカバー構造にも適用することができる。内開き式のカバー構造においては、揺動軸２３の中心軸Ｌが、閉じ位置におけるカバー２２の重心Ｇに対して前方（窓穴２１の外方）へ偏寄した位置に配置される。カバー２２における中心軸Ｌの上側の部分には、後方へ傾動するモーメントが作用し、カバー２２における中心軸Ｌの下側の部分には、前方へ傾動するモーメントが作用する。また、カバー２２の上端部に設けた当接片３０の後面（内面）がストッパー片３６の前端（外端）に押し付けられた状態で、カバー２２が閉じ位置で静止する。
【００２９】
当接片３０はカバー２２の上端部以外に、カバー２２の下端部や側端部に配置することができる。外開き式のカバー構造において、揺動軸２３の中心軸Ｌの下側に当接片３０を設ける場合は、当接片３０の後面（内面）がストッパー片３６の前端（外端）に押し付けられる。本発明に係るカバー構造の適用対象は、漏電遮断器１６に臨む機械室パネル６の操作窓に限られず、例えば冷蔵庫の扉に設けられる覗き窓などに適用することができる。また本発明は、上記実施例で示した冷蔵ショーケースの他に、冷蔵庫、冷凍庫、冷凍ショーケース、自動製氷機などのカバー構造に適用することができ、冷蔵庫等の前面に限らず側面や後面にも配置することができる。
【符号の説明】
【００３０】
５  機械室
６  機械室パネル
１５  電装箱
１６  漏電遮断器
２１  窓穴
２２  カバー
２３  揺動軸
３０  当接片
３６  ストッパー片
３７  規制片
【図１】
0006473340.tif 000002
【図２】
0006473340.tif 000003
【図３】
0006473340.tif 000004
【図４】
0006473340.tif 000005
【図５】
0006473340.tif 000006